【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ケース体内に設けられ被搬送物に対する処理を実行する被搬送物処理部と、前記ケース体に設けられ前記被搬送物を挿通可能な開口部と、の間で前記被搬送物を搬送する搬送装置であって、
搬送される前記被搬送物を一時的に固定する仮固定部と、
前記被搬送物処理部、前記仮固定部、および前記開口部から挿入された前記被搬送物が位置する挿排位置の各々の間で往復移動可能に設けられた往復移動部と、
この往復移動部に配設され前記被搬送物を前記開口部を介して搬入出するとともに、当該往復移動部の移動中は搬入された前記被搬送物を保持し、当該往復移動部が前記被搬送物処理部、前記仮固定部または前記挿排位置にあるときに前記被搬送物を着脱可能な搬入出保持部と、
を具備したことを特徴とする搬送装置。
【請求項２】
請求項１に記載の搬送装置であって、
前記被搬送物処理部に第１の前記被搬送物が配置されている状態において前記搬入出保持部に第２の前記被搬送物を前記ケース体内に搬入させて保持させ、前記往復移動部を前記仮固定部の近傍に移動させて前記搬入出保持部に前記第２の被搬送物を前記仮固定部に一時的に固定させ、前記往復移動部を前記被搬送物処理部の近傍に移動させて前記搬入出保持部に前記第１の被搬送物を保持させ、前記往復移動部を前記開口部の近傍に移動させて前記搬入出保持部に前記第１の被搬送物を前記ケース体外へ搬出させ、前記往復移動部を前記仮固定部の近傍に移動させて前記搬入出保持部に前記第２の被搬送物を保持させ、前記往復移動部を前記被搬送物処理部の近傍に移動させて前記搬入出保持部に前記第２の被搬送物を前記被搬送物処理部に配置させる搬送制御部を具備した
ことを特徴とする搬送装置。
【請求項３】
ケース体内に設けられ被搬送物に対する処理を実行する被搬送物処理部と、前記ケース体に設けられ前記被搬送物を挿通可能な開口部と、の間で前記被搬送物を搬送する搬送装置であって、
前記被搬送物処理部に第１の前記被搬送物が配置されている状態において前記開口部を介して前記ケース体内に搬入された第２の前記被搬送物を保持し、前記被搬送物処理部と異なる位置へ搬送して一時的に固定させ、前記被搬送物処理部に配置された前記第１の被搬送物を保持して前記開口部の近傍に搬送し、前記開口部を介して前記ケース体外へ搬出し、前記一時的に固定させた第２の被搬送物を保持し、前記被搬送物処理部へ搬送して配置させる交換部を具備し、
前記交換部は、
前記被搬送物処理部と異なる位置に配設され前記被搬送物を一時的に固定する仮固定部と、
前記被搬送物処理部および前記仮固定部の間に設けられた往復移動部と、
この往復移動部に配設され前記被搬送物を搬入出するとともに着脱可能に保持する搬入出保持部と、
この搬入出保持部に前記第２の被搬送物を前記ケース体内に搬入させて保持させ、前記往復移動部および前記仮固定部のうち少なくともいずれか一方を相対的に移動させて前記搬入出保持部に前記第２の被搬送物を前記仮固定部に一時的に固定させ、前記往復移動部および前記被搬送物処理部のうち少なくともいずれか一方を相対的に移動させて前記搬入出保持部に前記第１の被搬送物を保持させ、前記搬入出保持部に前記第１の被搬送物を前記ケース体外へ搬出させ、前記往復移動部および前記仮固定部のうち少なくともいずれか一方を相対的に移動させて前記搬入出保持部に前記第２の被搬送物を保持させ、前記往復移動部および前記被搬送物処理部のうち少なくともいずれか一方を相対的に移動させて前記搬入出保持部に前記第２の被搬送物を前記被搬送物処理部に配置させる搬送制御部と、を備えた
ことを特徴とする搬送装置。
【請求項４】
請求項３に記載の搬送装置であって、
前記往復移動部は、前記被搬送物処理部および前記仮固定部の間で往復移動可能に設けられ、
前記搬送制御部は、前記往復移動部を前記仮固定部の近傍に移動させる処理を前記往復移動部および前記仮固定部のうち少なくともいずれか一方を相対的に移動させる処理として実施し、前記往復移動部を前記被搬送物処理部の近傍に移動させる処理を前記往復移動部および前記被搬送物処理部のうち少なくともいずれか一方を相対的に移動させる処理として実施する
ことを特徴とする搬送装置。
【請求項５】
請求項２または請求項４に記載の搬送装置であって、
前記搬送制御部は、前記搬入出保持部に前記第１の被搬送物を搬出させると、前記往復移動部を前記被搬送物処理部の近傍に移動させて前記搬入出保持部に前記被搬送物を保持する動作を実施させ、前記往復移動部を前記仮固定部の近傍に移動させて前記搬入出保持部に前記第２の被搬送物を保持させる
ことを特徴とする搬送装置。
【請求項６】
請求項２、請求項４、請求項５のいずれかに記載の搬送装置であって、
前記搬送制御部は、
前記往復移動部の近傍に前記往復移動部の移動方向と交差する方向に移動可能に配設された移動部材と、
前記往復移動部および前記移動部材を架橋する状態に設けられ前記移動部材が前記往復移動部の移動方向と交差する方向に移動された際に前記往復移動部を前記被搬送物処理部、前記仮固定部、および前記挿排位置の各々の間で移動させるカム部と、を備え、
前記移動部材の移動に伴って、前記搬入出保持部が前記第１の被搬送物または前記第２の被搬送物を保持した状態で前記往復移動部が前記被搬送物処理部、前記仮固定部、および前記挿排位置の各々の間を移動する
ことを特徴とする搬送装置。
【請求項７】
請求項６に記載の搬送装置であって、
前記カム部は、
前記往復移動部から前記移動部材へ向けて突出する状態に設けられた突出部材と、
前記移動部材にスリット状に設けられ前記突出部材が摺動可能に挿通される突出部材挿通部と、
を備えた
ことを特徴とする搬送装置。
【請求項８】
請求項１、請求項２、請求項４ないし請求項７のいずれかに記載の搬送装置であって、
前記仮固定部は、前記被搬送物が前記開口部を介して前記ケース体内に搬送される搬送経路に対して前記被搬送物処理部と反対側に配設され、
前記往復移動部は、前記ケース体内における前記被搬送物処理部に配置された前記被搬送物の周縁を囲む領域のうち前記被搬送物の中心に対して前記開口部と反対側の領域において、前記搬送経路に対して交差する方向に往復移動可能に設けられ、
前記搬入出保持部は、
長手状に形成され前記往復移動部における前記搬送経路の両側縁近傍に対応する部分に配設された前記長手状の一端側を中心に互いに接離する方向に回動可能に設けられた一対のアーム部材と、
前記一対のアーム部材の前記長手状の他端側に設けられ前記被搬送物の周縁近傍部分に
摺接しつつ前記被搬送物を搬入出するとともに狭持する搬入出狭持部と、
を備えた
ことを特徴とする搬送装置。
【請求項９】
被搬送物を挿通可能な開口部を有するケース体と、
このケース体内に設けられ前記被搬送物を処理する被搬送物処理部と、
前記ケース体内に設けられた請求項１ないし請求項８のいずれかに記載の搬送装置と、
を具備したことを特徴とするディスク装置。
【請求項１０】
請求項９に記載のディスク装置であって、
前記被搬送物は、一面に情報が記録される記録面を有したディスク状記録媒体であり、
前記被搬送物処理部は、前記一面に記録された前記情報を読み取る処理および前記記録面に情報を記録する処理のうち少なくともいずれか一方の処理を実施する情報処理部である
ことを特徴とするディスク装置。
【請求項１１】
請求項９または請求項１０に記載のディスク装置であって、
前記ケース体は、移動体に配設された
ことを特徴とするディスク装置。
【手続補正２】
【補正対象書類名】明細書
【補正対象項目名】発明の名称
【補正方法】変更
【補正の内容】
【発明の名称】搬送装置、および、ディスク装置
【手続補正３】
【補正対象書類名】明細書
【補正対象項目名】０００１
【補正方法】変更
【補正の内容】
【０００１】
本発明は、被搬送物を搬送する搬送装置、および、ディスク装置に関する。
【手続補正４】
【補正対象書類名】明細書
【補正対象項目名】０００７
【補正方法】変更
【補正の内容】
【０００７】
本発明は、このような点に鑑みて、小型化が容易に図れる搬送装置、および、ディスク装置を提供することを１つの目的とする。
【手続補正５】
【補正対象書類名】明細書
【補正対象項目名】０００８
【補正方法】変更
【補正の内容】
【０００８】
請求項１に記載の発明は、ケース体内に設けられ被搬送物に対する処理を実行する被搬送物処理部と、前記ケース体に設けられ前記被搬送物を挿通可能な開口部と、の間で前記被搬送物を搬送する搬送装置であって、搬送される前記被搬送物を一時的に固定する仮固定部と、前記被搬送物処理部、前記仮固定部、および前記開口部から挿入された前記被搬送物が位置する挿排位置の各々の間で往復移動可能に設けられた往復移動部と、この往復移動部に配設され前記被搬送物を前記開口部を介して搬入出するとともに、当該往復移動部の移動中は搬入された前記被搬送物を保持し、当該往復移動部が前記被搬送物処理部、前記仮固定部または前記挿排位置にあるときに前記被搬送物を着脱可能な搬入出保持部と、を具備したことを特徴とする搬送装置である。
【手続補正６】
【補正対象書類名】明細書
【補正対象項目名】０００９
【補正方法】変更
【補正の内容】
【０００９】
請求項３に記載の発明は、ケース体内に設けられ被搬送物に対する処理を実行する被搬送物処理部と、前記ケース体に設けられ前記被搬送物を挿通可能な開口部と、の間で前記被搬送物を搬送する搬送装置であって、前記被搬送物処理部に第１の前記被搬送物が配置されている状態において前記開口部を介して前記ケース体内に搬入された第２の前記被搬送物を保持し、前記被搬送物処理部と異なる位置へ搬送して一時的に固定させ、前記被搬送物処理部に配置された前記第１の被搬送物を保持して前記開口部の近傍に搬送し、前記開口部を介して前記ケース体外へ搬出し、前記一時的に固定させた第２の被搬送物を保持し、前記被搬送物処理部へ搬送して配置させる交換部を具備し、前記交換部は、前記被搬送物処理部と異なる位置に配設され前記被搬送物を一時的に固定する仮固定部と、前記被搬送物処理部および前記仮固定部の間に設けられた往復移動部と、この往復移動部に配設され前記被搬送物を搬入出するとともに着脱可能に保持する搬入出保持部と、この搬入出保持部に前記第２の被搬送物を前記ケース体内に搬入させて保持させ、前記往復移動部および前記仮固定部のうち少なくともいずれか一方を相対的に移動させて前記搬入出保持部に前記第２の被搬送物を前記仮固定部に一時的に固定させ、前記往復移動部および前記被搬送物処理部のうち少なくともいずれか一方を相対的に移動させて前記搬入出保持部に前記第１の被搬送物を保持させ、前記搬入出保持部に前記第１の被搬送物を前記ケース体外へ搬出させ、前記往復移動部および前記仮固定部のうち少なくともいずれか一方を相対的に移動させて前記搬入出保持部に前記第２の被搬送物を保持させ、前記往復移動部および前記被搬送物処理部のうち少なくともいずれか一方を相対的に移動させて前記搬入出保持部に前記第２の被搬送物を前記被搬送物処理部に配置させる搬送制御部と、を備えたことを特徴とする搬送装置である。
【手続補正７】
【補正対象書類名】明細書
【補正対象項目名】００１０
【補正方法】変更
【補正の内容】
【００１０】
請求項９に記載の発明は、被搬送物を挿通可能な開口部を有するケース体と、このケース体内に設けられ前記被搬送物を処理する被搬送物処理部と、前記ケース体内に設けられた請求項１ないし請求項８のいずれかに記載の搬送装置と、を具備したことを特徴とするディスク装置である。
【手続補正８】
【補正対象書類名】明細書
【補正対象項目名】００１１
【補正方法】削除
【補正の内容】